(57)【要約】      （修正有）【課題】光リング型通信を提供。【解決手段】複数のネットワーク・ノードを備えるネットワークにおいて通信する方法は、ネットワーク・ノードでネットワークにアッドされる対象のトラフィックを受信する。ネットワークは1つ又は複数のチャネルを備える光信号における受信トラフィックを通信するよう動作可能である。受信トラフィックのデータ・レートと1つ又は複数の行き先ノードとを判定する工程及び受信トラフィックを光信号のチャネルの1つ又は複数に、判定されるデータ・レートと行き先ノードとに基づいて、割り当てる。割り当てチャネルに含むトラフィックを光トラフィックのデータ・レートと行き先ノードとに基づいて処理するようネットワーク・ノードの1つ又は複数を構成する工程及び、トラフィックを、ネットワークを通じて、光信号の割り当てチャネルにおいて、判定されるデータ・レートと1つ又は複数の行き先ノードとに基づいて、通信する。【選択図】  図９
2005244973.tif 000002
【特許請求の範囲】
【請求項１】
光トラフィックを複数のネットワーク・ノードを備えるネットワークにおいて通信する方法であって：
該ネットワークにネットワーク・ノードでアッドされる対象のトラフィックを受信する工程；
を備え；
該ネットワークは受信トラフィックを1つ又は複数のチャネルを備える光信号において通信するよう動作可能であり；
更に、該受信トラフィックのデータ・レートと1つ又は複数の行き先ノードとを判定する工程；
該受信トラフィックを該光信号の該チャネルのうちの1つ又は複数に、該判定されるデータ・レートと該1つ又は複数の行き先ノードとに基づいて、割り当てる工程；
前記複数のネットワーク・ノードの1つ又は複数を構成して該割り当てられるチャネルに含む該トラフィックを、該光トラフィックの該データ・レートと該1つ又は複数の行き先ノードに基づいて、処理する工程；及び
該トラフィックを、ネットワークを通じて該光信号の該割り当てられるチャネルにおいて、該判定されるデータ・レートと該1つ又は複数の行き先ノードに基づいて、通信する工程；
を備えることを特徴とする方法。
【請求項２】
トラフィックを1つ又は複数のチャネルにおける光信号において通信するよう動作可能な光ネットワークであって；
複数のネットワーク・ノード；
を備え；
該複数のネットワーク・ノードが：
該ネットワークにノードでアッドされる対象のトラフィックを受信する工程；及び
該受信トラフィックを、該ネットワークを通じて該光信号において、該受信トラフィックのデータ・レートと該受信トラフィックの行き先の1つ又は複数のノードとに基づいて通信する工程；
を行うよう動作可能であり；
更に、ネットワーク管理システム；
を備え；
該ネットワーク管理システムが：
該受信トラフィックの該データ・レートを判定する工程；
該受信トラフィックの該1つ又は複数の行き先ノードを判定する工程；
該受信トラフィックを該光信号の該1つ又は複数のチャネルに、該受信トラフィックの該判定されるデータ・レートと該1つ又は複数の行き先ノードとに基づいて、割り当てる工程；及び
該ネットワーク上の該ノードの1つ又は複数を構成して該割り当てられるチャネルに含む該トラフィックを、該受信トラフィックの該判定されるデータ・レートと該1つ又は複数の行き先ノードとに基づいて、処理する工程；及び
を行うよう動作可能であることを特徴とする光ネットワーク。
【発明の詳細な説明】
【技術分野】
【０００１】
本発明は、一般的に、光トランスポート・システムに関し、特に、選択的モード・スイッチングを伴う光ネットワークに関する。
【背景技術】
【０００２】
通信システム、ケーブル・テレビジョン・システム及びデータ通信ネットワークは光ネットワークを用いて大量の情報を遠隔拠点間で高速で伝達する。光ネットワークにおいては、情報は光信号の形式で光ファイバを通じて伝達される。光ファイバは、該信号を長距離にわたって非常に低損失で伝送することができる細いガラス紐を備える。
【発明の開示】
【発明が解決しようとする課題】
【０００３】
光ネットワークは多くの場合、波長分割多重（WDM）又は高密度波長分割多重（DWDM）を利用して伝送容量を増大させている。WDMとDWDMのネットワークでは、いくつかの光チャネルが各ファイバにおいて本質的に異なる波長で搬送される。ネットワーク容量は、各ファイバと帯域幅における、波長若しくはチャネルの数、又はそれらのチャネルの容量、に基づくものである。
【０００４】
WDMとDWDMとのネットワークが構築されるトポロジはそのようなネットワークが活用される程度を判定するうえで重要な役割を果たす。リング型トポロジは今日のネットワークにおいては一般的なものである。WDMアッド/ドロップ装置はそのような光リングの周囲にあるネットワーク・エレメントとしての役目を担う。WDMアッド/ドロップ機器を各ネットワーク・エレメント（ノード）に用いることによって、コンポジット信号全体を完全にその構成チャネルに逆多重化してスイッチングを行う（アッド/ドロップを行うか通過させる）ことが可能である。
【課題を解決するための手段】
【０００５】
一実施例では、複数のネットワーク・ノードを備えるネットワークにおいて光トラフィックを通信する方法は、該ネットワークにネットワーク・ノードでアッドされる対象のトラフィックを受信する工程を含む。該ネットワークは、1つ又は複数のチャネルを備える光信号における受信トラフィックを通信するよう動作可能である。該方法は更に、該受信トラフィックのデータ・レートと1つ又は複数の行き先ノードとを判定する工程及び該受信トラフィックを該光信号の該チャネルの1つ又は複数に、判定されたデータ・レート及び行き先ノードに基づいて、割り当てる工程を含む。該方法は更に、該ネットワーク・ノードの1つ又は複数を構成して該割り当てチャネルに含むトラフィックを光トラフィックのデータ・レート及び行き先ノードに基づいて処理する工程及び、該トラフィックを、ネットワークを通じて光信号の割り当てチャネルにおいて、判定されたデータ・レート及び1つ又は複数の行き先ノードに基づいて、通信する工程を含む。
【０００６】
別の実施例では、光信号におけるトラフィックを1つ又は複数のチャネルにおいて通信するよう動作可能な光ネットワークは複数のネットワーク・ノードを備える。該ネットワーク・ノードは該ノードでネットワークにアッドされる対象のトラフィックを受信し、該受信トラフィックを、ネットワークを通じて光信号において受信トラフィックのデータ・レートと受信トラフィックが向かう1つ又は複数のノードに基づいて、通信するよう動作可能である。光ネットワークはネットワーク管理システムも含む。ネットワーク管理システムは受信トラフィックのデータ・レートを判定し、受信トラフィックの1つ又は複数の行き先ノードを判定するよう動作可能である。光ネットワークのネットワーク管理システムは更に、光信号の1つ又は複数のチャネルに受信トラフィックを、判定されたデータ・レート及び1つ又は複数の行き先ノードに基づいて、割り当て、ネットワーク上のノードの1つ又は複数を構成して割り当てチャネルに含むトラフィックを、受信トラフィックの判定データ・レート及び1つ又は複数の行き先ノードに基づいて、処理するよう動作可能である。
【発明を実施するための最良の形態】
【０００７】
本発明の特定実施例の技術上の効果は、変動するデータ・レートの光トラフィックを光ネットワークのアッド/ドロップ・ノードで処理することを助長するシステム及び方法を含み得る。そのようなトラフィックは、光ネットワークのアッド/ドロップ・ノードにおいてある一時点で要する光送信器/受信器対の数を削減するように処理し得る。更に、特定の実施例はネットワーク内の各アッド/ドロップ・ノードの効率性を、利用可能な送信器/受信器対を補助機能に用いることによって、最大にし得る。
【０００８】
本発明の別の技術上の効果は、当業者には、添付図面及び、本明細書並びに特許請求の範囲から容易に明らかとなる。更に、特定の効果を上記に列挙したが、種々の実施例は、該列挙した効果の全部又は一部を含み得るか、該効果を何ら含まないものであり得る。
【０００９】
本発明とその効果が十分に分かるよう、次に、下記明細書を添付図面とともに参照する。
【実施例】
【００１０】
図１は例示的光ネットワーク１０を示す。本実施例では、ネットワーク１０はその中ではいくつかの光チャネルが共通パスによって本質的に異なる波長で搬送されるその光ネットワークである。ネットワーク１０は波長分割多重（WDM）、高密度波長分割多重（DWDM）、又は別の適切なマルチチャネル・ネットワークであり得る。ネットワーク１０は短距離メトロポリタン・ネットワーク、長距離都市間ネットワーク又は何れかの別の適切なネットワーク若しくはネットワークの組み合わせにおいて用い得る。
【００１１】
ネットワーク１０は複数のアッド/ドロップ・ノード（ADN）100、第１光ファイバ・リング16、及び第２光ファイバ・リング18を含む。光情報信号は種々の方向にリング１６及び１８上で伝送されてフォールト・トレランスを備える。このように、各ADNは、各隣接ADNとの間でのトラフィックの送信と受信との両方を行う。本明細書及び特許請求の範囲の原文記載の「each」の語は当該識別アイテムの少なくとも部分集合のうちのある特定のもの全てを表す。光信号は少なくとも１つの特性を変調させてオーディオ・データ、ビデオ・データ、テキスト・データ、リアル・タイム・データ、非リアル・タイム・データ及び/又は別の適切なデータを符号化する。変調は位相シフト・キーイング（PSK）、強度変調（IM）及び別の適切な手法に基づくものであり得る。この例ではデュアル・リング型光ネットワーク10を示すが、本発明は光ネットワークの何れかの適切な形態で実施し得るものであり、デュアル・リングの使用を要するものでない。
【００１２】
図示した実施例では、第１リング16はその中でトラフィックが時計回り方向で伝送されるその時計回りリングである。第２リング18はその中でトラフィックが反時計回り方向で伝送されるその反時計回りリングである。スパンAはADN100dとADN100aとの間の時計回りリング16と反時計回りリング18との部分を備える。スパンBはADN100aとADN100bとの間の時計回りリング16と反時計回りリング18との部分を備える。スパンCはADN100bとADN100cとの間の時計回りリング16と反時計回りリング18との部分を備える。スパンDはADN100cとADN100dとの間の時計回りリング16と反時計回りリング18との部分を備える。
【００１３】
ADN100はリング16及び18との間でのトラフィックのアッドとドロップとを行うよう動作可能である。各ADN100では、局所クライアントから受信されるトラフィックがリング１６と１８とにアッドされ得る一方、局所クライアント行きのトラフィックはドロップされ得る。トラフィックはリング１６と１８とに、トラフィック・チャネルを挿入するか、さもなければ該チャネルの信号を、その少なくとも一部分がリング16及び18のうちの一方又は両方で送信されるそのトランスポート信号に合成することによって、アッドし得る。トラフィックはリング１６及び１８から、トラフィックを局所クライアントに送信できるようにすることによって、ドロップし得る。このようにして、トラフィックをリング16及び18上で、ドロップし、かつ、なお巡回させ続け得る。特定の実施例では、トラフィックの、リング16及び18との間でのアッドとドロップとが受動的に行われる。本明細書及び特許請求の範囲の原文記載の「passive」はチャネルのアッド又はドロップを、電力、電気、及び/又は可動部品なしで、行うことを表す。本明細書及び特許請求の範囲の原文記載の「active  device」はしたがって、電力、電気又は可動部分を用いて動作を行うものである。特定の実施例では、トラフィックの、リング１６と１８との間でのアッド並びに/若しくはドロップを、多重化/逆多重化なしで、トランスポート・リングにおける分割/合成及び/又は該リングにおける信号の部分の分離を行うことによって、受動的に行い得る。
【００１４】
特定の実施例では、ADN100は更に、クライアントからのデータを多重化してリング１６と１８とにアッドし、リング１６と１８からのデータのチャネルをクライアントに向けて逆多重化するよう動作可能である。これらの実施例では、ADN100は更に、クライアントとの間で送受される信号の光電変換を行い得る。
【００１５】
更に、以下に更に詳細に記載するように、リング１６と１８は各々、ADN１００の１つにおいて終端を、リング１６と１８とが「開状態にある」リングであるように、有する。すなわち、リング16と18とはネットワーク10の周りで連続伝送パスを構成するものでないので、トラフィックが、ネットワーク10のまるまる一巡を超えたリング上を進むこと及び/又はネットワーク10のまるまる一巡を超えたリング上に障害物を含むことがないものである。リング16と18における開口部は終端し、したがってチャネルを端点で取り出す。このようにして、チャネルのトラフィックが各ADN100に時計回りリング16及び/又は反時計回りリング18において合成ADN100によって送信された後、トラフィックはリング16と18とから取り出される。これによって各チャネルのそれ自体との干渉が妨げられる。
【００１６】
ネットワーク10のチャネル容量は、分割し、各ADN100に、ADN100の局所又は別のトラフィックによって、割り当て得る。チャネル総数が40であり、ADN100の総数が４であり、かつ、ADNトラフィックが各ADN100において偶数である実施例については、10チャネルを各ADN100に割り当て得る。各チャネルが10Gbpsデータ・レートによって変調される場合、各ノードは100Gbps(10Gbps×10チャネル)をネットワーク10における全てのADNに送出し得る。DWDMシステムについては、チャネルは1530mmと1565mmの間であり得る。チャネル間隔は100GHzすなわち0.8nmであり得るが、適切に変動させ得る。更に、チャネル間隔はリング16と18とにおいて柔軟であり、リング16及び18上のADNエレメントはチャネル間隔によって構成されることを要するものでない。その代わりに、例えば、チャネル間隔を、クライアントとの通信並びに/若しくはクライアントへの結合が行われるアッド/ドロップ受信器及び送信器によって、設定し得る。リング16及び18はトラフィックを、トラフィックのチャネル間隔とは独立した状態及び/叉はトラフィックのチャネル間隔に係わらない状態で、アッドし、ドロップし、通信する。
【００１７】
図２は例示的ADN100の細部を示す。特定の実施例では、ADN100は、異なるチャネルにおけるトラフィックを、そのチャネルで通信される光チャネルの種類に基づいて、処理するよう動作可能である。この機能によってADN100において用いられる送信器/受信器対の何れかの時点での使用をトラフィックの種類に対して最適化させることが可能となる。したがって、特定のADN100内の送信器/受信器対が特定のトラフィックの、そのデータ・レートに基づいた、送信又は受信をするのに用いることを要しない場合、それらの送信器/受信器対はネットワーク10内の別の目的で用いて、それによって各ADN100における送信器/受信器対の使用を最適化し得る。光ネットワーク管理ソフトウェアは、以下に記載するように、各チャネルにおけるトラフィックが何れかの時点でどのように処理されるかを判定するのに用いられる、データ・レート閾値を設定し得る。特定の実施例では、ADN100で受信される光トラフィックのデータ・レートは、ADN100の構成における動的な変動を助長してチャネルにおけるトラフィックのデータ・レートにおける変動を処理するよう、10乃至20秒毎に監視し得る。
【００１８】
トランスポート・エレメント110は、受動的にトラフィックの、多重化若しくは逆多重化なしの、リング上の信号との間での、アッド並びにドロップを行うこと及び/又はADN100のリング16との別の相互作用を光カプラ又は別の適切な光スプリッタを用いて備えることを行い得る。光カプラは、合成光信号の、合成若しくは別の方法での受動的生成の、２つ以上の光信号に基づいた多重化なしでの実行、及び/又は光信号の、離散光信号への分割すなわち分離若しくは別の方法での受動的生成の、該光信号に基づいた逆多重化なしでの実行、を行うよう動作可能な何れかのデバイスである。該離散信号は形式及び/又は内容において同様又は同一のものであり得る。例えば、該離散信号は内容において同一でかつエネルギにおいて同一か実質的に同様であり得るものであるか、内容において同一でかつエネルギにおいて実質的に異なり得るものであるか、内容においてわずかに異なるかそれとは違ったふうに異なり得る。
【００１９】
この例では、ADN100は、トランスポート・エレメント110、分配エレメント120、合成エレメント130、スイッチング・エレメント140、及びネットワーク管理システム(NMS)180を備える。一実施例では、エレメント110、120、130、140及び180、及びこれらのエレメント内部の構成部分は、光ファイバ・リンクと相互接続し得る。別の実施例では、該構成部分は、部分的なものとしてか別のやり方で、平面型導波管回路及び/又は自由空間光学系によって、実現し得る。更に、ADN100の該エレメントは各々、ADN100のカード・シェルフ内の1つ又は複数の個別カードとして実現し得る。更に、エレメント自体の機能は複数の個別カードにわたって分散させ得る。このようにして、ADN100は、モジュール化されていて、アップグレード可能であり、成長に合わせた段階的な投資を可能にするアーキテクチャを備える。
【００２０】
トランスポート・エレメント110は、パッシブ・カプラ又は別の適切な光スプリッタ112、と阻止フィルタ114とを備え得る。一実施例では、光カプラ112は2つの入力と2つの出力とを伴うファイバ・カプラである。光カプラ112は、別の実施例では、導波管回路及び/又は自由空間光学系と全体的に又は部分的に組み合わせ得る。カプラ112は、1つ又はいくつかの、何れかの適切な入力と出力を含み得るものであり、かつ、カプラ112は、入力の数が出力の数よりも多いことがあり得るか、出力の数が入力の数よりも多いことがあり得るものである。動作上、トランスポート・エレメント100は、少なくとも局所トラフィックのリング16との間でのアッドとドロップとを受動的に行うよう動作可能である。
【００２１】
トランスポート・エレメント110は更に、阻止フィルタ114を備え得る。阻止フィルタ114は光トラフィックの特定の波長又はサブバンドがトランスポート・エレメント110を通過することを阻止する。サブバンドはネットワークの帯域幅の一部分である。各サブバンドは、トラフィック・チャネルを、1つ又は複数搬送し得るか、何ら搬送しないものであり得る。トラフィック・チャネルはサブバンド内で間隔を柔軟に持たせ得る。非阻止波長又はサブバンドはネットワークの別の構成部分にパススルーされる。そのようなパススルー・トラフィックはネットワークにおける別のノードで阻止され得る。阻止フィルタ114によって特定の波長又はサブバンドを阻止することによって、その波長又はサブバンドにおけるトラフィックのADN100でのアッド/ドロップを、該波長又はサブバンドにおけるトラフィックとの干渉がネットワーク上で通信されることなく、行うことが可能となる。
【００２２】
図２の特定の実施例では、トランスポート・エレメント110はドロップ・カプラ112a及びアッド・カプラ112bを有するパッシブ光スプリッタ・セットを含む。ドロップ・カプラ112aはリング16上の入口信号を受動的に２つの概して同じ信号に分離する。パススルー信号が阻止フィルタ114に転送される一方、ドロップ信号が分配エレメント120にセグメント118を介して転送される。上記パススルー信号とドロップ信号は、内容及び/又はエネルギにおいて事実上同一であり得る。アッド・カプラ112bはドロップ・カプラ112aからのパススルー信号と合成エレメント130からのセグメント119を介した局所アッド・トラフィックを備えるアッド信号とを受動的に合成する。
【００２３】
信号の合成と分離は、図示したように、単一のカプラ112によって行い得るか、その各々が合成エレメント又はスプリッタ・エレメントのうちの1つ又は一部分を有するその複数のカプラによって行い得る。デュアル・カプラ配置によってトランスポート・エレメント110におけるカプラの総数を増加させるが、2つのカプラの配置によってチャネル干渉を、リング16にトラフィックをアッドする前にリング16から局所トラフィックをドロップすることによって、削減し得る。
【００２４】
トランスポート・エレメント110は更に、分散補償を備える分散補償ファイバ（DCF）セグメントを含む。一実施例では、ネットワーク10が2.5Gbps以上のデータ・レートで動作する場合に、リングの円周が40キロメートルを超えるか、先行するADNまでのスパンの長さによって、DCFセグメントを含み得る。例えば、分散補償は10Gbps信号が1.3マイクロメートルのゼロ分散単一モード・ファイバを40キロメートルにわたって進む場合に用い得る。
【００２５】
分配エレメント120は更に、光スプリッタ122を備え得る。スプリッタ122は光ファイバ入口導線118及び複数の光ファイバ・ドロップ導線124を有するスプリッタを備え得る。ドロップ導線124は1つ又は複数のチューナブル・フィルタ150に接続し得るものであり、該チューナブル・フィルタは同様に、1つ又は複数のドロップ光受信器160に接続し得る。
局所行きトラフィックは分配エレメント120にセグメント118を介してドロップされる。分配エレメント120は局所行きトラフィックを備えるドロップ信号を複数の概して同じ信号にコピーし、各信号をフィルタ150にドロップ導線124を介して転送する。図示した実施例は９つのドロップ導線124を表すが、何れかの適切な数のドロップ導線124を実現し得ることとする。各フィルタ150によって受信される光信号は、特定の波長のみが関連受信器160にパススルーされるようにフィルタリングされる。光受信器160は受信光信号を電気信号に変換するよう動作可能である。フィルタ150はチューナブル・フィルタ又は別の適切なフィルタであり、受信器160は広帯域受信器又は別の適切な受信器であり得る。
【００２６】
スイッチ・エレメント140はトラフィックを光受信器160から受信するよう動作可能である。光トラフィックを受信した後、スイッチ・エレメント140はトラフィック（又はその一部分）を局所クライアント及び/又は合成エレメント130に転送して該トラフィック
を後続するADN100に送信し得る。スイッチ・エレメント140は第１のレイヤ２（L2）スイッチ142、タイム・トゥ・リブ(TTL)モニタ144、及び第２のL2スイッチ146を備え得る。スイッチ142は電気トラフィックを該トラフィックに関連したアドレッシング情報に基づいて誘導するよう動作可能である。例えば、この例では、スイッチ142は電気トラフィックを光受信器160から受信し、受信電気トラフィックの、局所クライアントへの誘導及び/又はネットワーク10上の別のADN100への誘導を、トラフィックを備えるデータ・パケットに関連したアドレス情報によって行い得る。同様に、スイッチ146は電気トラフィックをスイッチ142及び/又は局所クライアントから受信し、その光トラフィックをネットワーク上の別のADN100にトラフィックに関連したアドレス情報に基づいて誘導し得る。
【００２７】
いくつかの実施例では、TTLモニタ144はスイッチ142とスイッチ146との間に配置させ得る。TTLモニタ144は電気トラフィックを特定のADN100で終端するよう動作可能である。電気トラフィックは、どのADN100でトラフィックを終端すべきであるかを示すTTLコードを含み得る。例えば、TTLモニタ144にスイッチ142から通信される電気トラフィックにおけるデータが「0」のTTLコードを含む場合、これはデータを伝送における現行のADN100でネットワークから取り除くべきであることを示し得る一方、「１」のTTLコードはデータを伝送におけるダウンストリーム方向での次のADN100でネットワークから取り除くべきであることを示し得るものであり、「２」のTTLコードはデータを伝送におけるダウンストリーム方向での第２のADN100でネットワークから取り除くべきであることを示し得る。TTLコードが「0」である場合には、TTLモニタ144はトラフィックをネットワーク10から現行のADN100で取り除く。しかし、TTLコードが「0」でない場合は、TTLモニタ144はTTLコードを「１」刻みで減らし、電気トラフィックをスイッチ146に転送し、該スイッチ146では該電気トラフィックは次のADN100に転送される。
【００２８】
リング162にアッドする前に、局所で導き出されるトラフィック及び/又はスイッチ142によってスイッチ146に転送される電気トラフィックは複数のアッド光送信器170によってADN100の合成エレメント130に送信され、該合成エレメントでは光トラフィックが含む信号が合成され、トランスポート・エレメント110にセグメント119を介して転送される。合成エレメント130は、クライアントと関連した1つ又は複数のアッド光送信器170に接続し得る複数の光ファイバ・アッド導線134を有するスプリッタ132を備え得る。スプリッタ132は更に、光ファイバ出口導線119を備える。光送信器170は波長チューナブル・レーザを含み得る。本実施例では、ライトパスは２つのADN100間で送信側ADNにおける光送信器170のうちの１つのレーザを特定の周波数に設定し、受信側ADNにおける光受信器のフィルタを該特定の周波数に同様に設定することによって、確立し得る。別の構成はネットワーク10において何ら要するものでないが、それはトラフィック・チャネルを別のトラフィックと受動的に合成し、かつ、該トラフィックから分離させ得るものであり、リング16との間で受動的なアッドとドロップとを行うからである。固定レーザを有する光送信器と固定フィルタを有する光受信器は本発明とともに用い得るものである。
【００２９】
ADN100の全般的な制御は、ネットワーク管理システム(NMS)を用いて実現し得る。NMSは。図4に示す、ADN100aなどの、ADN100内部、別のADN内部、又はADN100全部の外部に存在し得る。NMSは、メディアに符号化されるロジックを備えて、ネットワーク10の、ネットワーク並びに/若しくはADNの、監視、故障検出、保護スイッチング及びループバック検査又は局所検査の機能を実行し得る。更に、NMS180はネットワーク10上を通信される予定の局所クライアントからの１つ又は複数のADN100で受信されるトラフィックのデータ・レートと行き先ノードを判定するよう動作可能である。NMS180は受信光トラフィックを1つ又は複数のチャネルにトラフィックのデータ・レートと行き先ノードとに基づいて割り当て得る。更に、NMS180は各ADN100の構成部分の構成をADN100でネットワーク10にアッドされるトラフィックのトラフィック・データ・レートと行き先ノードとに基づいて局所クライアントによって制御し得る。図4乃至７に関し以下に更に詳細に記載するように、NMS180は、阻止フィルタ114、チューナブル・フィルタ150及びスイッチ・エレメント140などの構成部分を構成し得る。特定の実施例では、NMS180は、これらの判定、割り当て、及びノード構成を、収益創出トラフィックとは別個の外部バンドにおいて伝送される光監視チャネル（OSC）トラフィックを用いて、行うのに要する情報の受信と送信とを行い得る。ロジックは、ディスク若しくは別のコンピュータ判読可能媒体において符号化されるソフトウェア及び/又は特定用途向集積回路（ASIC）、フィールド・プログラム可能ゲート・アレイ（FPGA）、若しくは別のプロセッサかハードウェアにおいて符号化される命令を備え得る。NMSの機能はネットワーク10の別の構成部分によって行い得るもの及び/又は別の方法での分散化若しくは集中化を行い得るものである。
【００３０】
図２はリング16と関連したADN100の構成部分を示すが、同じ構成部分がリング18とも関連し得る。いくつかの実施例では、リング16と18は、ADN100の同じセットを、リング16上の光トラフィックとリング18上の光トラフィックとを選択的にスイッチングするよう動作可能なADN100に適切に配置されるスイッチを用いることによって、共有し得る。
【００３１】
図３はネットワーク10における例示的な光トラフィック・フローを示す。ネットワーク10はADN100の機能を用いて変動するデータ伝送速度のトラフィック・フローを処理することができる。通常の光ネットワークでは、ADNにおいて必要な送信器/受信器対の数は光のトラフィックの量が増大するにつれて急激に増大する。光ネットワークにおける送信器/受信器の対の数はそのネットワークの費用を直接左右する。ADN100のモード・スイッチング機能によって、ネットワーク10は、各ADN100において何れかの時点で要する送信器/受信器の対の数を削減しながら、種々のデータ伝送速度の光トラフィックを処理することができる。
【００３２】
特定の実施例では、ネットワーク10におけるトラフィックは、光トラフィックの３つの主な種類に分類し得る。トラフィックのこれらの種類は：(1)約100Mbpsから約1Gbpsまでのデータ・レートを有する光伝送/電気選択/光ドロップ(OEO)トラフィック；(2)中サイズのデータ・レート、例えば、約1Gbpsから約5Gbps、を有する「ポイント・ツー・マルチポイント」トラフィック；(3)大データ・レート、例えば、10Gbpsの送信器/受信器のビット・レートの場合に、約5Gbpsから約10Gbps、を有する「ポイント・ツー・ポイント」又は「バースト」トラフィック；である。例えば、ネットワーク10上のトラフィックのデータ・レートが100Mbpsである場合、トラフィックは、特定のADN100から送信され、該ADN100で同じチャネルに複数のデータ・ストリームを含むOEOトラフィックとして処理される。OEOトラフィックの第１部分は第１ADN100行きのものであり得る一方、第２部分は第２ADN100行きのものであり得る。OEOトラフィックはネットワーク10に沿って、該トラフィックがOEOトラフィックの少なくとも一部分の行き先ノードに到達するまで、光伝送され、該ノードでは、OEOトラフィックがスイッチ・エレメント140を用いて電気的に選択されて、局所クライアントへのドロップ及び/又はネットワーク上の別のADN100に転送を、トラフィックに含むアドレッシング情報に基づいて、行う。局所クライアント行きのOEOトラフィックの部分は、そのクライアントに光伝送される一方、ネットワーク10上の別のADN100行きのOEOトラフィックの部分はネットワーク上を更にダウンストリーム方向に光伝送される。OEOトラフィックは、図３にトラフィック・ストリーム210として示し、以下に更に詳細に記載する。
【００３３】
ポイント・ツー・ポイント・トラフィックは更に、複数のADN100行きのトラフィックを含み得る。ポイント・ツー・マルチポイント・トラフィックが行き先ノードに到着すると、トラフィックの２つのコピーが受動的に作成され、一コピーは、別の行き先ノードへ送信するようネットワーク10に沿って転送され、一コピーは現行の行き先ノードでの局所クライアントにドロップされる。ポイント・ツー・マルチポイント・トラフィックは、図3にトラフィック・ストリーム230として示し、以下に更に詳細に記載する。
【００３４】
バースト・トラフィックは、該トラフィックが光ネットワーク上の単一のノード行きのトラフィックを含むように、送信される。したがって、バースト・トラフィックがその行き先以外のADN100に到着すると、トラフィックはノードを受動的にパススルーされ、該トラフィックが該トラフィックの行き先ノードに到達するまで、ネットワーク10に沿って進み続け、該ノードでは該トラフィックが局所クライアントにドロップされる。バースト・トラフィックは図３にトラフィック・ストリーム240として示し、以下に更に詳細に記載する。
【００３５】
この例では、トラフィック・ストリーム210、220、230、及び240がネットワーク10に種々のADN100でアッドされる。トラフィック・ストリーム210、220、230、及び240はストリーム210、220、230、及び240の全てを備える光信号の1つ又は複数のチャネルにおけるデータを含む。トラフィック・ストリーム210はネットワーク10にADN100dでアッドされる。トラフィック・ストリーム210は同じチャネルにおける複数のデータ・ストリームを含むOEOトラフィックを備える。図示した実施例では、トラフィック・ストリーム210はADN100c行きの第１トラフィック・ストリーム213とADN100b行きの第２トラフィック・ストリーム214とを含む。
【００３６】
トラフィック・ストリーム210はリング18上でADN100cに進み、該ADNでは、該トラフィックが含む情報が２つのトラフィック・ストリーム２１３、２１４にトラフィック・ストリーム２１０に含む情報の行き先に基づいて分離される。例えば、図示した例では、トラフィック・ストリーム213はADN100cの局所クライアント行きの情報を含む一方、トラフィック・ストリーム214はADN100b行きの情報を含む。トラフィック・ストリーム213はADN100cでの局所クライアントにドロップされる一方、トラフィック・ストリーム214はリング16に沿ってADN１００bに向けて進み続ける。ＡＤＮ100cでは、トラフィック・ストリーム220は光ネットワーク10に局所クライアントからアッドされる。トラフィック・ストリーム220に含む情報はADN100b行きであり、トラフィック・ストリーム214に含む情報にアッドされ、該トラフィック・ストリーム214もADN100b行きのものである。トラフィック・ストリーム220とトラフィック・ストリーム214との新たな組み合わせはトラフィック・ストリーム210’として示す。トラフィック・ストリーム210’はリング16上で、トラフィック・ストリーム210’に含む情報が局所クライアントにADN100bでドロップされるまで進み続ける。
【００３７】
トラフィック・ストリーム230は更に、光ネットワーク10にADN100dでアッドされる。トラフィック・ストリーム230はネットワーク10における複数のADN行きの「ポイント・ツー・マルチポイント」光トラフィックを備える。トラフィック・チャネル230は図示したようにネットワーク10のリング18に沿って進む。ADN100cでは、トラフィック・ストリーム230に含む情報の２つのコピーが作成され、一コピーは局所クライアントにドロップされ、別のコピーはネットワークにおいて先へ転送される。トラフィック・ストリーム230はリング18に沿って、該ストリームが含む情報がADN100bでドロップされるまで、進み続ける。
【００３８】
ADN100bでは、トラフィック・ストリーム240がリング18にアッドされる。トラフィック・ストリーム240は「ポイント・ツー・ポイント」又は「バースト」のトラフィックを含む。トラフィック・ストリーム240に含む情報はADN100d行きのものであり、該ADNでは、該情報はADN100aを通過した後、局所クライアントにドロップされる。
【００３９】
ADN100の構成部分によって、単一のADN構成が種々の動作モードを処理して種々のデータ・レートのトラフィックに効率的に対応することが可能となる。各ADN100は、送信バッファとトラフィック量モニタとを含む。トラフィック量モニタが、送信バッファに記憶されるデータが特定の所定閾値レベルよりも大きいことを検出する場合、ADN100の動作モードはデータ・レートに基づいて変更される。例えば、トラフィックのデータ・レートが毎秒ほぼ数百メガバイトである場合、トラフィックは、トラフィック・ストリーム210によって示すように、ADNでOEOトラフィックとして送信され、受信される。トラフィックのデータ・レートが、中サイズのもの、例えば、約１Gbpsから約5Gbps、である場合、トラフィックは、トラフィック・ストリーム230によって示すように、ADNで「ポイント・ツー・マルチポイント」のトラフィックとして送信され、受信される。トラフィックのデータ・レートのサイズが大きい、例えば、約5Gbpsより大きい、場合、トラフィックは、トラフィック・ストリーム240によって示すように、ADNで、「ポイント・ツー・ポイント」又は「バースト」のトラフィックとして送信され、受信される。
【００４０】
図４-7はADN100内のOEO、ポイント・ツー・マルチポイント、及びバーストのトラフィックの特定の処理を示す。図４は例示的光信号のADN240を通じた例示的パスを示す。トラフィック・ストリーム240はこの光信号の一部であり、バースト光トラフィックを含む。トラフィック・ストリーム240を含む光信号はリング16上のADN100aにADN100bから入る。ドロップ・カプラ112aはトラフィック・ストリーム240を含む光信号を2つの概して同じ信号に受動的にコピーする。転送光信号は、図3に示すように、ネットワーク10における別のADNに転送するよう、ADN100aを通じてリング16上を進み続る。NMS180はADN100aの阻止フィルタ114を構成して光信号を、ADN100aを通じて、転送するが、それはNMS180が、光信号がADN100d行きであることを判定したからである。
【００４１】
ドロップ光信号は光スプリッタ122に転送され、該光スプリッタでは複数のコピーが作成される。光信号の各コピーは更に、チューナブル・フィルタ150に転送される。この例では、チューナブル・フィルタ150が、その中でストリーム240が伝送されるそのチャネルの通過を妨げ、それによってトラフィック・ストリーム240に含む情報がADN100aで局所クライアントにドロップされることを妨げるようNWS180によって構成されるが、それはストリーム240に含むトラフィックがADN100d行きであり、ADN100a行きでないからである。
【００４２】
図５はADN100bにおける例示的トラフィック・ストリーム210’、230、及び240における光トラフィックを含む光信号の例示的パスを示す。トラフィック・ストリーム210’及び230を含む光信号はリング16上のADN100bに入る。トラフィック・ストリーム210’は、トラフィック・ストリーム210からのADN100b行きの情報を含み、該情報はネットワーク10にADN100dでアッドされており、更に、トラフィック・ストリーム220からの情報を含み、該情報もADN100b行きであるが、該情報はADN100cで局所クライアントからアッドされている。トラフィック・ストリーム230は、ADN100dでアッドされており、ADN100c及び100b行きの情報を含む。
【００４３】
ドロップ・カプラ112aはトラフィック・ストリーム210’及び230を含む光信号を2つの概して同じ信号に受動的にコピーする。トラフィック・ストリーム210’及び230を含む光信号のコピーは阻止フィルタ114に転送され、該阻止フィルタは、NMS180によって、判定されるデータ・レートと行き先ノードに応じて、構成されて光信号が別のADNに通信されることを、ネットワーク10にアッドし得る後続ADNからの光トラフィックとの何れかの干渉を回避するために、阻止する。トラフィック・ストリーム210’及び230を含む光信号のコピーは光スプリッタ122に転送され、該光スプリッタでは複数のコピーが作成される。光信号の各コピーは更に、チューナブル・フィルタ150に転送され、該チューナブル・フィルタは、判定されるデータ・レート及び行き先ノードに応じて、所望の光チャネルのみを通過させるよう、NMS180によって構成される。図示した例では、フィルタ150aはトラフィック・ストリーム230を含む光チャネルを通過させる一方、トラフィック・ストリーム210’を含む光チャネルを取り除くよう構成される。同様に、フィルタ150nはトラフィック・ストリーム210’を含む光チャネルを通過させる一方、トラフィック・ストリーム230を含む光チャネルを取り除くよう構成される。フィルタ化光信号は更に、フィルタ150から光受信器160に通信され、該光受信器では、フィルタ化信号が光信号から電気信号に変換される。光受信器160は更に、フィルタ化電気信号をスイッチ142に通信し、該スイッチは、判定されるデータ・レートと行き先ノードに応じて、信号を特定の方法で送信するよう、NMS180によって構成される。この例では、スイッチ142は電気信号を局所クライアントに、何れの信号ももう一度リング16上にスイッチ146を通じて戻すことなく、転送するよう構成されるが、それはトラフィック・ストリーム210’及び230に含む情報はADN100b行きであり、何れの後続ADN100行きでもないからである。
【００４４】
更に、トラフィック・ストリーム240を含む光信号がネットワーク10にADN100bで局所クライアントからアッドされる。この例では、スイッチ146はトラフィック・ストリーム240を含む光信号が光送信器170まで転送されることを可能にするようNMS180によって構成される。トラフィック・ストリーム240を含む光信号は更に、ネットワーク10のリング16にアッド・カプラ112bを用いてアッドされる。
【００４５】
図６は、ADN100cにおける例示的トラフィック・ストリーム210、210’、及び230における光トラフィックを含む光信号の例示的パスを示す。トラフィック・ストリーム210及び230を含む光信号はリング16上のADN100cに入る。トラフィック・ストリーム210及び230はネットワーク10にADN100dでアッドされている。トラフィック・ストリーム220はネットワーク10にADN100cでアッドされる。ドロップ・カプラ112aはトラフィック・ストリーム210及び230を含む光信号を２つの概して同じ信号に受動的にコピーする。トラフィック・ストリーム210及び230を含む光信号のコピーは阻止フィルタ114に転送され、該阻止フィルタ114は、判定されるデータ・レートと行き先ノードに応じて、ネットワーク10における別のADN100にトラフィック・ストリーム210が通信されることを、後続ADN100からのネットワークにアッドし得る光トラフィックとの何れかの干渉を回避し、トラフィック230をネットワーク10における後続ADNに転送するために、阻止するよう、NMS180によって構成される。トラフィック・ストリーム230はリング16を、ADN100cを通じて、進み続けるが、それは該トラフィック・ストリームが含む情報がネットワーク10における複数のAND行きであるからである。トラフィック・ストリーム210は、トラフィック・ストリーム210’との干渉を妨げるよう、リング16上で更に伝送されることが阻止される。
【００４６】
トラフィック・ストリーム210及び230を含む光信号のドロップされたコピーは光スプリッタ122に転送され、該スプリッタでは複数のコピーが作成される。光信号の各コピーは更に、チューナブル・フィルタ150に転送され、該フィルタは、判定されるデータ・レートと行き先ノードに応じて、所望の光チャネルのみを通過させるよう、NMS１８０によって構成される。図示した例では、フィルタ150aはトラフィック・ストリーム230を含む光チャネルを通過させる一方、トラフィック・ストリーム210を含む光チャネルを取り除くよう構成される。同様に、フィルタ150nはトラフィック・ストリーム210を含む光チャネルを通過させる一方、トラフィック・ストリーム230を含む光チャネルを取り除くよう構成される。フィルタ化信号はフィルタ150から光受信器160に通信され、該光受信器では、フィルタ化信号は光信号から電気信号に変換される。光受信器160は更に、電気信号をスイッチ142に通信し、該スイッチは、判定されるデータ・レートと行き先ノードに応じて、信号を特定の方法で送信するよう、NMS180によって構成される。
【００４７】
この例では、スイッチ142は、トラフィック・ストリーム213によって示すような、トラフィック・ストリーム210の情報の一部分、及びトラフィック・ストリーム230に含む情報の全てを、局所クライアントに転送するよう構成される。スイッチ142は更に、ストリーム210におけるトラフィックの一部分をTTLモニタ144に、トラフィック・ストリーム214によって示すように、誘導するよう構成される。TTLモニタ144は、該モニタが受信するトラフィックと関連したTTLコードを検査する。上記のように、TTLコードが「0」の場合、トラフィックは現行ADN100で終端される。図示した実施例では、トラフィック・ストリーム214に含む情報のTTLコードは「２」となるが、それはトラフィックが、そこでトラフィックがアッドされたそのADN（ADN100d）からのダウンストリーム方向における第２のADN（ADN100b）でネットワーク10から取り除かれるべきであるからである。TTLモニタはトラフィック・ストリーム214と関連したTTLコードを減らすのでTTLコードはトラフィックがTTLモニタ142を出ると「１」となる。トラフィック・ストリーム214における情報はスイッチ146でトラフィック・ストリーム220における情報を含む電気信号と合成され、該合成情報は局所クライアントからADN100cでアッドされて、トラフィック・ストリーム210’を構成する。この例では、スイッチ146は、トラフィック・ストリーム210’に含む情報が光送信器170に転送されることが可能となるようNMS180によって構成され、該光送信器では電気信号が光信号に変換される。トラフィック・ストリーム210’を含む光信号は更にネットワーク10のリング16にアッド・カプラ112bを用いてアッドされ、ネットワークにおける次のADN、ADN100b、に通信される。
【００４８】
図７はADN100dにおける例示的トラフィック・ストリーム210、230、及び240において光トラフィックを含む光信号の例示的パスを示す。トラフィック・ストリーム240を含む光信号はネットワーク10にADN100bでアッドされている。ドロップ・カプラ112aはトラフィック・ストリーム240を含む光信号を2つの概して同じ信号に受動的にコピーする。トラフィック・ストリーム240を含む光信号のコピーは阻止フィルタ114に転送され、該阻止フィルタは、判定されるデータ・レートと行き先ノードに応じてトラフィック・ストリーム240を含む光信号がネットワーク10における別のADN100に通信されることを、後続ADN100からネットワークにアッドし得る光トラフィックとの何れかの干渉を回避するために、阻止するよう、NMS180によって構成される。トラフィック・ストリーム240を含む光信号のコピーは光スプリッタ122に転送され、該光スプリッタでは複数コピーが作成される。光信号の各コピーは更に、チューナブル・フィルタ150に転送され、該フィルタは、判定されるデータ・レートと行き先ノードに応じて、所望の光チャネルのみを通過させるよう、NMS180によって構成される。
【００４９】
図示した例では、フィルタ150はトラフィック・ストリーム240を含むチャネルを通過させるよう構成される。フィルタ化信号は更に、フィルタ150から光受信器160に通信され、光信号は電気信号に変換される。光受信器160は更に、フィルタ化電気信号をスイッチ142に通信し、該スイッチは、判定されるデータ・レート及び行き先ノードに応じて、局所クライアントに電気信号を、何れの信号もリング16上に戻すことなく、通過させるよう、NMS180によって構成されるが、それはストリーム240におけるトラフィックがADN100d行きであるからである。
【００５０】
更に、トラフィック・ストリーム210及び230を含む電気信号がネットワーク10にADN100dで局所クライアントからアッドされる。図示した実施例では、スイッチ146は局所クライアントからの電気トラフィックを光送信器170に転送することが可能となるよう、NMS180によって構成される。光送信器170は電気信号を光信号に変換する。トラフィック210及び230を含む光信号は更にネットワーク10のリング16にアッド・カプラ112bを用いてアッドされる。
【００５１】
図８はネットワーク10を用いて通信される光データとともに用いる例示的フレーム300を示す。フレーム300はジェネリック・フレーミング・プロシージャ（ＧＦＰ）のフレームである。フレーム300はコア・ヘッダ310、ペイロード・ヘッダ320、及びペイロード330を含む。コア・ヘッダ310は2バイトのペイロード長表示子（PLI）と２バイトのコア・ヘダ・エラー制御部からなる4バイトのフィールドである。ぺイロード・ヘッダ320は占有部322と拡張ヘッダ324からなる。占有部３２２は2バイトのペイロード種類ヘッダと2バイトのヘッダ・エラー制御部からなる4バイトのフィールドである。拡張ヘッダは、カスタム・アプリケーションに任意的に用い得る0バイトから60バイトまでの追加のヘッダ情報からなる。ペイロード330は1つ又は複数の６７バイトのスーパー・ブロックと4バイトのフレーム・チェック・シーケンス（FCS）からなる。各スーパー・ブロックは、「ブロック」と呼ばれる８つの8バイトの群、ブロック毎に1ビットを伴う、1バイトの「フラッグ」ビット、及び２バイトのエラー・チェック・コードに分割される64バイトのクライアント・データからなる。
【００５２】
本発明のいくつかの実施例によれば、拡張ヘッダ324はネットワーク10上で通信する光ネットワークの入口（ソース）ノード・アドレス、更には、出口（行き先）ノード・アドレス、光トラフィックのTTLコード、サービス品質パラメータ、及び制御フレーム情報を含むよう構成し得る。したがって、拡張ヘッダ324を用いてそこに光トラフィックが通信されるそのADN100、更には、そこで光トラフィックを局所クライアントにドロップするかネットワークから終端する対象のそのADN100、を指定するよう用い得る。入口と出口のノード・アドレッシングを含む拡張ヘッダ324を伴うGFPフレームを用いることによって、データを受信するADN100のスイッチ・モジュール140がデータの行き先を判定することが可能となる。
【００５３】
図９はネットワーク10における変動するデータ・レートと行き先の光トラフィックを処理する例示的方法を示す。該方法は工程400で開始し、光トラフィックがADN100で受信される。工程402では、受信光トラフィックのデータ・レートと行き先ノードが判定される。工程404では、受信光チャネルは1つ又は複数のチャネルに特定のトラフィック・ストリームの判定されるデータ・レートと行き先ノードに基づいて割り当てられる。例えば、上記のように、受信光トラフィックはOEOトラフィック、「ポイント・ツー・ポイント」トラフィック、又は「バースト」トラフィックを含み得る。特定の実施例では、各種のトラフィックは別のチャネルに割り当て得る。工程406では、各ADN100は受信光トラフィックを、トラフィックの判定されるデータ・レート及び行き先ノードに基づいて、処理するよう構成される。工程408では、光ネットワークはネットワーク10において1つ又は複数のチャネルにトラフィックの判定されるデータ・レートと行き先ノードに基づいて通信される。当該方法は、追加の光トラフィックを受信するよう工程400に戻り得るか、当該方法は特定の状況によって、終結させ得る。
【００５４】
例示的方法を示したが、本発明は事実上同時か別の順序で行われる2つ以上の工程を意図している。更に、本発明は追加の工程、少ない数の工程、又は別の工程を伴う方法を、前記工程がADN100で変動するデータ・レートの光トラフィックを処理するのに適切な状態にとどまる限り、用いることを意図している。
【００５５】
更に、本発明はいくつかの実施例によって記載したが、多くの変更、置換、変形、改変、及び修正を当業者に示唆し得るものであり、本発明は本特許請求の範囲記載の趣旨及び範囲に収まる全てのそのような変更、置換、変形、改変、及び修正を包含することを意図している。
（付記１）
光トラフィックを複数のネットワーク・ノードを備えるネットワークにおいて通信する方法であって：
該ネットワークにネットワーク・ノードでアッドされる対象のトラフィックを受信する工程；
を備え；
該ネットワークは受信トラフィックを1つ又は複数のチャネルを備える光信号において通信するよう動作可能であり；
更に、該受信トラフィックのデータ・レートと1つ又は複数の行き先ノードとを判定する工程；
該受信トラフィックを該光信号の該チャネルのうちの1つ又は複数に、該判定されるデータ・レートと該1つ又は複数の行き先ノードとに基づいて、割り当てる工程；
前記複数のネットワーク・ノードの1つ又は複数を構成して該割り当てられるチャネルに含む該トラフィックを、該光トラフィックの該データ・レートと該1つ又は複数の行き先ノードに基づいて、処理する工程；及び
該トラフィックを、ネットワークを通じて該光信号の該割り当てられるチャネルにおいて、該判定されるデータ・レートと該1つ又は複数の行き先ノードに基づいて、通信する工程；
を備えることを特徴とする方法。
（付記２）
前記データ・レートを判定する工程が、前記トラフィックの前記データ・レートが約100Mbpsから約1Gbpsまでのものを備えることを判定する工程を備え；
前記光トラフィックを通信する工程が該光トラフィックを光伝送/電気選択/光ドロップ（OEO）トラフィックとして通信する工程を備えることを特徴とする付記１記載の方法。
（付記３）
各ノードが該ノードで受信される該光信号の第１コピーと第２コピーとを生成するよう動作可能であり；
該1つ又は複数の行き先ノードを判定する工程が、該受信トラフィックの第１部分が第１行き先ノード行きのものであり、該受信トラフィックの第２部分が第２行き先ノード行きのものであることを判定する工程を備え；
該受信トラフィックを割り当てる工程が、該第１行き先ノード行きの該トラフィックの該第１部分を該光信号の第１チャネルに割り当て、該第２行き先ノード行きの該トラフィックの該第２部分を該光信号の該第１チャネルに割り当てる工程を備え；かつ
該1つ又は複数のネットワーク・ノードを構成する工程が：
該光信号の該第１コピーの少なくとも該第１チャネルにおける該トラフィックをフィルタによって通過させる工程；
該光信号の該第２コピーの該第１チャネルにおける該トラフィックを終端する工程；
該第１コピーの該第１チャネルにおける該通過トラフィックの該第１部分を該第１行き先ノードに関連した1つ又は複数の局所クライアントに転送する工程；及び
該第１コピーの該第１チャネルにおける該通過トラフィックの該第２部分を該第２行き先ノードに転送する工程；
を行うよう該第１行き先ノードを構成する工程を備えることを特徴とする付記２記載の方法。
（付記４）
更に、該第１行き先ノードで、該1つ又は複数の局所クライアントからの新たなトラフィックを該第１行き先ノードで生成される該第１コピーの該第１チャネルにアッドする工程を備え、該新たなトラフィックが該第２行き先ノード行きであることを特徴とする付記３記載の方法。
（付記５）
該第２行き先ノードが該第２行き先ノードで受信される該光信号の第１コピーと第２コピーとを生成するよう動作可能であり；
該1つ又は複数のネットワーク・ノードを構成する工程が更に：
第１コピーの少なくとも該第１チャネルにおける該トラフィックをフィルタによって通過させる工程；
該光信号の該第２コピーの該第１チャネルにおける該トラフィックを終端する工程；及び
該第１コピーの該第１チャネルにおける該トラフィックを該第２行き先ノードに関連した1つ又は複数の局所クライアントに転送する工程；
を行うよう該第２行き先ノードを構成する工程を備えることを特徴とする付記３記載の方法。
（付記６）
該データ・レートを判定する工程が、該トラフィックの該データ・レートが約1Gbpsから約５Gbpsまでのものを備えることを判定する工程を備え；
該光トラフィックを通信する工程が該光トラフィックをポイント・ツー・マルチポイント・トラフィックとして通信する工程を備えることを特徴とする付記１記載の方法。
（付記７）
各ノードが該第１行き先ノードで受信される該光信号の第１コピーと第２コピーとを生成するよう動作可能であり；
該1つ又は複数の行き先ノードを判定する工程が、該光信号における該受信トラフィックの少なくとも一部分が第１行き先ノードか第２行き先ノード行きのものであることを判定する工程を備え；
該受信トラフィックを割り当てる工程が、該第１行き先ノード又は該第２行き先ノード行きの該トラフィックを該光信号の第１チャネルに割り当てる工程を備え；かつ
該1つ又は複数のネットワーク・ノードを構成する工程が：
該光信号の第１コピーの少なくとも該第１チャネルにおける該トラフィックをフィルタによって通過させる工程；
該光信号の該第２コピーを転送する工程；及び
該第１行き先ノードで生成される該第１コピーにおける該通過トラフィックの該第１チャネルを該第１行き先ノードに関連した該1つ又は複数の局所クライアントに転送する工程；
を行うよう該第１行き先ノードを構成する工程を備えることを特徴とする付記６記載の方法。
（付記８）
該第２行き先ノードが、該第２行き先ノードで受信される該光信号の第１コピーと第２コピーとを生成するよう動作可能であり；
該1つ又は複数のネットワーク・ノードを構成する工程が更に：
該光信号の該第１コピーの少なくとも該第１チャネルにおける該トラフィックを、フィルタによって、通過させる工程；
該光信号の該第２コピーの該第１チャネルにおける該トラフィックを終端する工程；及び
該第１コピーの該第１チャネルにおける該トラフィックを該第２行き先ノードに関連した1つ又は複数の局所クライアントに転送する工程；
を行うよう該第２行き先ノードを構成する工程；
を備えることを特徴とする付記７記載の方法。
（付記９）
該データ・レートを判定する工程が該光トラフィックの該データ・レートが約５Gbpsよりも大きいものを備え；かつ
該光トラフィックを通信する工程が該光トラフィックをポイント・ツー・ポイント・トラフィックとして通信する工程を備えることを特徴とする付記１記載の方法。
（付記１０）
単一の行き先ノードが、該単一の行き先ノードで受信される該光信号の第１コピーと第２コピーとを生成するよう動作可能であり；
該1つ又は複数の行き先ノードを判定する工程が、該受信トラフィックの少なくとも一部分が該単一の行き先ノード行きのものであることを判定する工程を備え；
該受信トラフィックを割り当てる工程が、該単一の行き先ノード行きの該トラフィックを該受信光信号の一チャネルに割り当てる工程を備え；
該1つ又は複数のネットワーク・ノードを構成する工程が：
該光信号の該第１コピーの少なくとも該一チャネルにおける該トラフィックを、フィルタによって、通過させる工程；
該光信号の該第２コピーにおける該トラフィックを終端する工程；及び
該単一の行き先ノードで生成される該第１コピーにおける該通過トラフィックの該一チャネルを該単一の行き先ノードに関連した1つ又は複数の局所クライアントに転送する工程；
を行うよう該単一の行き先ノードを構成する工程；
を備えることを特徴とする付記９記載の方法。
（付記１１）
該光トラフィックが1つ又は複数のジェネラル・フレーミング・プロシージャ（GFP）のフレームにおいて通信され、該光トラフィックの行き先が該GFPフレームの拡張ヘッダ内に含まれることを特徴とする付記１記載の方法。
（付記１２）
トラフィックを1つ又は複数のチャネルにおける光信号において通信するよう動作可能な光ネットワークであって；
複数のネットワーク・ノード；
を備え；
該複数のネットワーク・ノードが：
該ネットワークにノードでアッドされる対象のトラフィックを受信する工程；及び
該受信トラフィックを、該ネットワークを通じて該光信号において、該受信トラフィックのデータ・レートと該受信トラフィックの行き先の1つ又は複数のノードとに基づいて通信する工程；
を行うよう動作可能であり；
更に、ネットワーク管理システム；
を備え；
該ネットワーク管理システムが：
該受信トラフィックの該データ・レートを判定する工程；
該受信トラフィックの該1つ又は複数の行き先ノードを判定する工程；
該受信トラフィックを該光信号の該1つ又は複数のチャネルに、該受信トラフィックの該判定されるデータ・レートと該1つ又は複数の行き先ノードとに基づいて、割り当てる工程；及び
該ネットワーク上の該ノードの1つ又は複数を構成して該割り当てられるチャネルに含む該トラフィックを、該受信トラフィックの該判定されるデータ・レートと該1つ又は複数の行き先ノードとに基づいて、処理する工程；及び
を行うよう動作可能であることを特徴とする光ネットワーク。
（付記１３）
該ネットワーク管理システムが、該トラフィックの該データ・レートが約100Mbpsから約1Gbpsまでのものを備えることを判定するよう動作可能であり；
該複数ノードの1つ又は複数が、該光トラフィックを光伝送/電気選択/光ドロップ（OEO）トラフィックとして通信するよう動作可能であることを特徴とする付記１２記載のネットワーク。
（付記１４）
第１行き先ノードが：
該光信号を受信し、該光信号の第１コピーと第２コピーとを生成するよう動作可能な光カプラ；
該光信号の該第２コピーの1つ又は複数のチャネルを選択的に阻止するか転送するよう動作可能な阻止フィルタ；
該第１コピーを該光カプラから受信し、該光信号の該第１コピーの複数コピーを生成するよう動作可能な分配エレメント；及び
複数のチューナブル・フィルタ；
を備え；
該複数のチューナブル・フィルタの各々が、該分配エレメントから転送される該光信号の該複数コピーの１つを受信し、該受信コピーの1つ又は複数のチャネルを通過させるよう動作可能であり；
更に、複数の光受信器；
を備え；
該複数の光受信器の各々が、該通過チャネルを関連したチューナブル・フィルタから受信し、該通過チャネルにおける該光トラフィックを電気信号に変換するよう動作可能であり；
更に、該転送電気信号を受信し、該電気信号又は該電気信号の部分を、選択的に、局所クライアント並びに/若しくは別のネットワーク・ノードに転送するか、該電気信号を終端するよう動作可能なスイッチ・エレメント：
を備え；かつ
該ネットワーク管理システムが更に：
該トラフィックの第１部分が該第１行き先ノード行きのものであり、該トラフィックの第２部分が第２行き先ノード行きのものであることを判定する工程；
該第１行き先ノード行きの該トラフィックの該第１部分を該光信号の第１チャネルに割り当てる工程；
該第２行き先ノード行きの該トラフィックの該第２部分を該光信号の該第１チャネルに割り当てる工程；及び
該第１行き先ノードのチューナブル・フィルタを構成して該光信号の該第１コピーの該第１チャネルを光受信器に転送する工程；
を行うよう動作可能であり；
該光受信器が該光信号を電気信号に変換するよう動作可能であり；
更に、該ネットワーク管理システムが：
該第１行き先ノードの該阻止フィルタを構成して該光信号の該第２コピーの該第１チャネルにおける該トラフィックを終端する工程；及び
該第１行き先ノードの該スイッチ・エレメントを構成する工程；
を行うよう動作可能であり；
該スイッチ・エレメントを構成する工程が：
該トラフィックの該第１部分に関連した該電気信号を該第１行き先ノードに関連した1つ又は複数の局所クライアントに転送する工程；及び
該トラフィックの該第２部分に関連した該電気信号を転送して該第２行き先ノードに通信する工程；
を行うよう該スイッチ・エレメントを構成することを特徴とする付記１３記載のネットワーク。
（付記１５）
該第１行き先ノードの該スイッチ・エレメントは更に：
該第２行き先ノード行きの新たなトラフィックを該1つ又は複数の局所クライアントから受信する工程；及び
該新たなトラフィックを該第２行き先ノード行きの該第２部分にアッドする工程；
を行うよう動作可能であることを特徴とする付記１４記載のネットワーク。
（付記１６）
該第２行き先ノードが：
該光信号を受信し、該光信号の第１コピーと第２コピーとを生成するよう動作可能な光カプラ；
該光信号の該第２コピーの1つ又は複数のチャネルを選択的に阻止するか転送するよう動作可能な阻止フィルタ；
該第１コピーを該光カプラから受信し、該光信号の該第１コピーの複数コピーを生成するよう動作可能な分配エレメント；及び
複数のチューナブル・フィルタ；
を備え；
該複数のチューナブル・フィルタの各々が、該分配エレメントから転送される該光信号の該複数コピーの１つを受信し、該受信コピーの1つ又は複数のチャネルを通過させるよう動作可能であり；
更に、複数の光受信器；
を備え；
該複数の光受信器の各々が、該通過チャネルを関連したチューナブル・フィルタから受信し、該通過チャネルにおける該光トラフィックを電気信号に変換するよう動作可能であり；
更に、該転送電気信号を受信し、該電気信号又は該電気信号の部分を、選択的に、局所クライアント並びに/若しくは別のネットワーク・ノードに転送するか、該電気信号を終端するよう動作可能なスイッチ・エレメント：
を備え；かつ
該ネットワーク管理システムが更に：
該第２行き先ノードの該阻止フィルタを構成して該第２行き先ノードの該光カプラによって生成される該光信号の該第２コピーにおける該トラフィックを終端する工程：
該第２行き先ノードのチューナブル・フィルタを構成して該第２行き先ノードの該光カプラによって生成される該光信号の該第１コピーの該第１チャネルを該第２行き先ノードの光受信器に転送する工程；
を行うよう動作可能であり；
該光受信器が該光信号を電気信号に変換するよう動作可能であり；
更に、該ネットワーク管理システムが：
該第２行き先ノードのスイッチ・エレメントを構成して該第１コピーの第１チャネルにおける該トラフィックに関連した該電気信号を該第２行き先ノードに関連した1つ又は複数の局所クライアントに転送する工程；
を行うよう動作可能であることを特徴とする付記１４記載のネットワーク。
（付記１７）
該ネットワーク管理システムが、該トラフィックの該データ・レートが約1Gbpsから約５Gbpsまでのものを備えることを判定するよう動作可能であり；かつ
該複数のノードの１つ又は複数が、該光トラフィックをポイント・ツー・マルチポイント・トラフィックとして通信するよう動作可能であることを特徴とする付記１２記載のネットワーク。
（付記１８）
第１行き先ノードが：
該光信号を受信し、該光信号の第１コピーと第２コピーとを生成するよう動作可能な光カプラ；
該光信号の該第２コピーの1つ又は複数のチャネルを選択的に阻止するか転送するよう動作可能な阻止フィルタ；
該第１コピーを該光カプラから受信し、該光信号の該第１コピーの複数コピーを生成するよう動作可能な分配エレメント；及び
複数のチューナブル・フィルタ；
を備え；
該複数のチューナブル・フィルタの各々が、該分配エレメントから転送される該光信号の該複数コピーの１つを受信し、該受信コピーの1つ又は複数のチャネルを通過させるよう動作可能であり；
更に、複数の光受信器；
を備え；
該複数の光受信器の各々が、該通過チャネルを関連したチューナブル・フィルタから受信し、該通過チャネルにおける該光トラフィックを電気信号に変換するよう動作可能であり；
更に、該転送電気信号を受信し、該電気信号又は該電気信号の部分を、選択的に、局所クライアント並びに/若しくは別のネットワーク・ノードに転送するか、該電気信号を終端するよう動作可能なスイッチ・エレメント：
を備え；かつ
該ネットワーク管理システムが更に：
該トラフィックの少なくとも一部分が、該第１行き先ノード行きか該第２行き先ノード行きのものであることを判定する工程；
該第１行き先ノード行きか該第２行き先ノード行きの該トラフィックの該少なくとも一部分を該光信号の第１チャネルに割り当てる工程；及び
該第１行き先ノードのチューナブル・フィルタを構成して該光信号の該第１コピーの該第１チャネルを光受信器に転送する工程；
を行うよう動作可能であり；
該光受信器が該光信号を電気信号に変換するよう動作可能であり；
更に、該ネットワーク管理システムが：
該第１行き先ノードの該阻止フィルタを構成して該第２行き先ノード行きの該光信号の該第２コピーの該第１チャネルにおける該トラフィックを終端する工程；及び
該第１行き先ノードの該スイッチ・エレメントを構成する工程；
を行うよう動作可能であり；
該スイッチ・エレメントを構成する工程が：
該トラフィックに関連した該電気信号を該第１行き先ノードに関連した1つ又は複数の局所クライアントに転送する工程；及び
該トラフィックに関連した該電気信号を転送して該第２行き先ノードに通信する工程；
を行うよう該スイッチ・エレメントを構成することを特徴とする付記１７記載のネットワーク。
（付記１９）
該第２行き先ノードが：
該光信号を受信し、該光信号の第１コピーと第２コピーとを生成するよう動作可能な光カプラ；
該光信号の該第２コピーの1つ又は複数のチャネルを選択的に阻止するか転送するよう動作可能な阻止フィルタ；
該第１コピーを該光カプラから受信し、該光信号の該第１コピーの複数コピーを生成するよう動作可能な分配エレメント；及び
複数のチューナブル・フィルタ；
を備え；
該複数のチューナブル・フィルタの各々が、該分配エレメントから転送される該光信号の該複数コピーの１つを受信し、該受信コピーの1つ又は複数のチャネルを通過させるよう動作可能であり；
更に、複数の光受信器；
を備え；
該複数の光受信器の各々が、該通過チャネルを関連したチューナブル・フィルタから受信し、該通過チャネルにおける該光トラフィックを電気信号に変換するよう動作可能であり；
更に、該転送電気信号を受信し、該電気信号又は該電気信号の部分を、選択的に、局所クライアント並びに/若しくは別のネットワーク・ノードに転送するか、該電気信号を終端するよう動作可能なスイッチ・エレメント：
を備え；かつ
該ネットワーク管理システムが更に：
該第２行き先ノードの該阻止フィルタを構成して該第２行き先ノードの該光カプラによって生成される該光信号の該第２コピーにおける該トラフィックを終端する工程：
該第２行き先ノードのチューナブル・フィルタを構成して該第２行き先ノードの該光カプラによって生成される該光信号の該第１コピーの該第１チャネルを該第２行き先ノードの該光受信器に転送する工程；
を行うよう動作可能であり；
該光受信器が該光信号を電気信号に変換するよう動作可能であり；
更に、該ネットワーク管理システムが：
該第２行き先ノードのスイッチ・エレメントを構成して該第１コピーの第１チャネルにおける該トラフィックに関連した該電気信号を該第２行き先ノードに関連した1つ又は複数の局所クライアントに転送する工程；
を行うよう動作可能であることを特徴とする付記１８記載のネットワーク。
（付記２０）
該ネットワーク管理システムが、該光トラフィックの該データ・レートが約５Gbpsよりも大きいものを備えることを判定するよう動作可能であり；かつ
該複数のノードの1つ又は複数が、該光トラフィックをポイント・ツー・ポイント・トラフィックとして通信するよう動作可能であることを特徴とする付記１２記載のネットワーク。
（付記２１）
単一の行き先ノードが：
該光信号を受信し、該光信号の第１コピーと第２コピーとを生成するよう動作可能な光カプラ；
該光信号の該第２コピーの1つ又は複数のチャネルを選択的に阻止するか転送するよう動作可能な阻止フィルタ；
該第１コピーを該光カプラから受信し、該光信号の該第１コピーの複数コピーを生成するよう動作可能な分配エレメント；及び
複数のチューナブル・フィルタ；
を備え；
該複数のチューナブル・フィルタの各々が、該分配エレメントから転送される該光信号の該複数コピーの１つを受信し、該受信コピーの1つ又は複数のチャネルを通過させるよう動作可能であり；
更に、複数の光受信器；
を備え；
該複数の光受信器の各々が、該通過チャネルを関連したチューナブル・フィルタから受信し、該通過チャネルにおける該光トラフィックを電気信号に変換するよう動作可能であり；
更に、該転送電気信号を受信し、該電気信号又は該電気信号の部分を、選択的に、局所クライアント並びに/若しくは別のネットワーク・ノードに転送するか、該電気信号を終端するよう動作可能なスイッチ・エレメント：
を備え；かつ
該ネットワーク管理システムが更に：
該トラフィックの少なくとも一部分が、該単一の行き先ノード行きのものであることを判定する工程；及び
単一の行き先行きの該トラフィックの該少なくとも一部分を該光信号の第１チャネルに割り当てる工程；及び
該単一の行き先ノードのチューナブル・フィルタを構成して該光信号の該第１コピーの該第１チャネルを光受信器に転送する工程；
を行うよう動作可能であり；
該光受信器が該光信号を電気信号に変換するよう動作可能であり；
更に、該ネットワーク管理システムが：
該単一の行き先ノードの該阻止フィルタを構成して該光信号の該第２コピーの該第１チャネルにおける該トラフィックを終端する工程；及び
該単一の行き先ノードの該スイッチ・エレメントを構成して該トラフィックに関連した該電気信号を該単一の行き先ノードに関連した1つ又は複数の局所クライアントに転送する工程；
を行うよう動作可能であることを特徴とする付記２０記載のネットワーク。
（付記２２）
該光トラフィックが1つ又は複数のジェネラル・フレーミング・プロシージャ（GFP）のフレームにおいて通信され、該光トラフィックの行き先が該GFPフレームの拡張ヘッダ内に含まれることを特徴とする付記１２記載のネットワーク。
【図面の簡単な説明】
【００５６】
【図１】例示的光ネットワークを示す図である。
【図２】例示的アッド/ドロップ・ノードの細部を示す図である。
【図３】光ネットワークにおける例示的光トラフィック・フローを示す図である。
【図４】例示的光チャネルにおける例示的アッド/ドロップ・ノードを通じた例示的トラフィック・パスを示す図である。
【図５】例示的光チャネルにおける例示的アッド/ドロップ・ノードを通じた別の例示的トラフィック・パスを示す図である。
【図６】例示的光チャネルにおける例示的アッド/ドロップ・ノードを通じた別の例示的トラフィック・パスを示す図である。
【図７】例示的光チャネルにおける例示的アッド/ドロップ・ノードを通じた別の例示的トラフィック・パスを示す図である。
【図８】例示的光トラフィック・データ・フレームを示す図である。
【図９】変動するデータ・レートの光トラフィックを処理する例示的方法を示す図である。
【符号の説明】
【００５７】
10  ネットワーク
16  リング
18  リング
100  アッド/ドロップ・ノード(ADN)
100a  ADN
100b  ADN
100b  ADN
100c  ADN
100d  ADN
110  トランスポート・エレメント
112  光カプラ
112a  ドロップ・カプラ
112b  アッド・カプラ
114  阻止フィルタ
118  セグメント
119  セグメント
120  分配エレメント
122  光スプリッタ
124  ドロップ導線
130  合成エレメント
132  スプリッタ
134  アッド導線
140  スイッチ・エレメント
142  スイッチ
144  TTLモニタ
146  スイッチ
150  フィルタ
150a  フィルタ
150n  フィルタ
160  受信器
170  送信器
180  ネットワーク管理システム（NMS）
200  ネットワーク
210  ストリーム
210’  ストリーム
213  ストリーム
214  ストリーム
220  ストリーム
230  ストリーム
240  ストリーム
300  フレーム
310  コア・ヘッダ
320  ぺイロード・ヘッダ
322  占有部
324  拡張ヘッダ
330  ペイロード
400  工程
402  工程
404  工程
406  工程
408  工程
A  スパン
B  スパン
C  スパン
D  スパン
【図１】
2005244973.tif 000003
【図２】
2005244973.tif 000004
【図３】
2005244973.tif 000005
【図４】
2005244973.tif 000006
【図５】
2005244973.tif 000007
【図６】
2005244973.tif 000008
【図７】
2005244973.tif 000009
【図８】
2005244973.tif 000010
【図９】
2005244973.tif 000011